(57)【要約】【課題】  戸先部の垂れ下がりを防止できる建具の提供。【解決手段】  扉１と、扉１に支持したパネル２とを備え、扉１は、吊元框３の下部にパネル支持具４を有し、パネル支持具４でパネル２の自重を吊元框３に負担させてある。【選択図】      図１
2018009441.tif 000002
【特許請求の範囲】
【請求項１】
扉と、扉に支持したパネルとを備え、扉は、吊元框の下部にパネル支持具を有し、パネル支持具でパネルの自重を吊元框に負担させてあることを特徴とする建具。
【発明の詳細な説明】
【技術分野】
【０００１】
本発明は、扉の戸先部の垂れ下がりを防止した建具に関する。
【背景技術】
【０００２】
テラス、バルコニー等への出入口には、大型のガラスをアルミや樹脂の框で框組みし、蝶番で枠に取付けるドア（通称、テラスドア）がよく用いられる。このようなドアは、ガラスの複層化などにより重量が重くなったが、框は見付けの細いものが好まれるため、戸先部が垂れ下がりやすい問題があった。
【発明の概要】
【発明が解決しようとする課題】
【０００３】
本発明は以上に述べた実情に鑑み、戸先部の垂れ下がりを防止できる建具の提供を目的とする。
【課題を解決するための手段】
【０００４】
上記の課題を達成するために請求項１記載の発明による建具は、扉と、扉に支持したパネルとを備え、扉は、吊元框の下部にパネル支持具を有し、パネル支持具でパネルの自重を吊元框に負担させてあることを特徴とする。
【発明の効果】
【０００５】
請求項１記載の発明による建具は、吊元框の下部にパネル支持具を有し、パネル支持具でパネルの自重を吊元框に負担させてあることで、戸先部の垂れ下がりを防止できる。
【図面の簡単な説明】
【０００６】
【図１】本発明の第１実施形態に係る建具の下部を拡大して示す室内側正面図である。
【図２】同建具の縦断面図である。
【図３】同建具の横断面図である。
【図４】本発明の建具の第２実施形態を示す室外側正面図である。
【図５】（ａ）は第２実施形態の建具の吊元側下部を一部切欠きして示す室外側正面図、（ｂ）は同建具の縦断面図、（ｃ）は同建具の横断面図である。
【図６】（ａ）は第２実施形態の建具の吊元側下部を一部切欠きして示す室外側正面図であって、吊元框の中空部内に設けられる補強裏板の他の例を示し、（ｂ）は同建具の縦断面図、（ｃ）は同建具の横断面図である。
【図７】第２実施形態の建具の変形例を示す室外側正面図である。
【図８】第２実施形態の建具の他の変形例を示す室外側正面図である。
【図９】第２実施形態の建具のさらに別の変形例を示す室外側正面図である。
【発明を実施するための形態】
【０００７】
以下、本発明の実施の形態を図面に基づいて説明する。図１〜３は、本発明の建具の第１実施形態を示している。本建具は、テラス、バルコニー等への出入口に設置されるテラスドアに適用したものであり、躯体開口部に固定した枠（図示省略）に蝶番７にて取付けられる扉１を有している。
【０００８】
扉１は、上框８と下框６と戸先框９と吊元框３とを框組みした框体にガラスパネル２を嵌め込んで構成してある。各框８，６，９，３は、図２，３に示すように、室外側に配置された金属形材８ａ，６ａ，９ａ，３ａと室内側に配置された樹脂形材８ｂ，６ｂ，９ｂ，３ｂとを結合して構成してある。また各框８，６，９，３は、内周側が開口したガラス保持溝１０を有し、ガラス保持溝１０にガラスパネル２の周縁部をグレージングチャンネル１１で保持してある。ガラスパネル２は、断熱性の優れた複層ガラスを用いている。
【０００９】
扉１は、吊元框３の内周側下部にパネル支持具４を設けてある。パネル支持具４は、ステンレス等の金属板をＬ形に曲げて形成したものであり、吊元框３の内周側面に当接し、吊元框３の金属形材３ａにネジ１２で固定される取付片１３と、取付片１３の下端部より内周側に水平にのびるパネル支持片５を有している。図２に示すように、パネル支持片５と下框６のガラス保持溝１０の底面１０ａとの間には隙間１４が設けてあり、よってパネル支持片５は下框６から離間している。なお、パネル支持具４のパネル支持片５の直下で下框６のガラス保持溝１０の底面１０ａを切除することで、パネル支持片５が下框６に接触しないようにしてもよい。パネル支持片５の上面にはガラスライナー１５が貼り付けて設けてあり、その上にガラスパネル２を載置してある。よって、パネル支持具４のパネル支持片５にガラスパネル２の自重がかかり、パネル支持片５と連続するパネル支持具４の取付片１３が吊元框３にネジ１２で固定してあるため、ガラスパネル２の自重を吊元框３で負担することとなる。
下框６の戸先側のガラス保持溝１０内には、図１に示すように、ガラス保持溝１０の底面１０ａに貼り付けてガラスライナー１６が設けてあり、その上にガラスパネル２を載置してある。したがってガラスパネル２の戸先側は、下框６に支持されている。ガラスライナー１６の厚さは、ガラス保持溝１０の底面１０ａからガラスパネル２の下端面までの距離と同じになっており、これによりガラスパネル２が傾くことなく保持される。
【００１０】
以上に述べたように本建具は、吊元框３の下部にパネル支持具４を有し、ガラスパネル２の吊元側がパネル支持具４で支持してあり、パネル支持具４によりガラスパネル２の自重を吊元框３に負担させているので、戸先部の垂れ下がりを防止できる。本建具は、このように吊元框３にパネル支持具４を設けたことで、框８，６，９，３の見付寸法を大きくすることなく、戸先部の垂れ下がりを防止することができ、意匠性に優れる。また本建具は、各框８，６，９，３の室内側が樹脂形材８ｂ，６ｂ，９ｂ，３ｂで覆われていると共に、ガラスパネル２に複層ガラスを用いているため、断熱性に優れる。
【００１１】
図４，５は、本発明の建具の第２実施形態を示している。本建具もテラスドアに適用したものであって、上框８、下框６、戸先框９及び吊元框３は、同一の断面形状の樹脂押出形材を用いている。各框８，６，９，３は、図４に示すように、それぞれ長手方向の両端部を斜め４５°に切断し、切断した端部を突き合わせて溶着して框組みしてある。各框８，６，９，３は、図５に示すように、内周側が開口したガラス保持溝１０を有し、ガラス保持溝１０の室外側の壁は着脱自在な押縁１７になっている。ガラスパネル２は、押縁１７を外した状態で框組した框体に室外側から嵌め込まれ、室内側面の外周縁部を框８，６，９，３に接着剤１８で接着し、室外側から押縁１７で押さえてガラス保持溝１０に取付けてある。
第１実施形態の建具は、框８，６，９，３が分離した状態で工場から出荷され、サッシ業者の工場にて框８，６，９，３とガラスパネル２とを組み立てるいわゆるノックダウン方式をとるが、第２実施形態のものは框体にガラスパネル２を組み込んだ完成品の状態で工場から出荷される。
【００１２】
図５に示すように、第２実施形態の建具も第１実施形態と同様に、吊元框３の内周側下部にＬ形のパネル支持具４が取付けてあり、ガラスパネル２の吊元側をパネル支持具４で支持し、パネル支持具４によりガラスパネル２の自重を吊元框３に負担させている。パネル支持具４のパネル支持片５は、下框６のガラス保持溝１０の底面１０ａから浮かせてある。パネル支持片５の上面には、ゴムパッキン１９が設けてある。
【００１３】
吊元框３は、中空部２０内にコ字形断面のスチール製の補強材２１が全長にわたって設けてあり、補強材２１は吊元框３の内周側壁２２にねじ２３で固定してある。さらに吊元框３の中空部２０内には、補強裏板２４がパネル支持具４の取付片１３と対向する高さ位置に設けてある。補強裏板２４は、スチール板をコ字形に曲げて形成したものであって、内周側壁２５と、外周側壁２６と、内周側壁２５と外周側壁２６の上部を連結する連結壁２７を有している。内周側壁２５は、補強材２１とパネル支持具４の取付片１３と共に吊元框３の内周側壁２２にねじ２８で固定してある。外周側壁２６は、吊元框３の外周側壁２９に当接ないし近接しており、吊元框３の外周側壁２９にねじ３０で固定してある。
【００１４】
補強材２１と補強裏板２４は、框組みする前に予め吊元框３の中空部２０内に挿入し、ねじ固定される。その際、補強材２１を吊元框３の中空部２０に先に挿入し、補強裏板２４を後から挿入してもよいが、補強材２１と補強裏板２４を溶接等により一体化し、それらをまとめて中空部２０に挿入することもできる。
【００１５】
図４に示すように、下框６のガラス保持溝１０内の戸先側位置にはガラスライナー１６が設けてあり、ガラスパネル２の戸先側はこのガラスライナー１６を介して下框６に支持されている。吊元框３の上下方向中央より下側のガラス保持溝１０内にはガラススペーサー３１が設けてあり、ガラススペーサー３１により輸送中などにガラスパネル２が動くのを防いでいる。
【００１６】
框が樹脂製の建具の場合、パネル支持具４を吊元框３の内周側壁２２にねじ止めしただけでは、吊元框３の内周側壁２２がガラスパネル２の荷重により変形してパネル支持具４のパネル支持片５が垂れ下がり、戸先部の垂れ下がりを防止する効果が十分に発揮されないおそれがある。第２実施形態の建具は、上述のように吊元框３の中空部２０内に内周側壁２５と外周側壁２６と連結壁２７とを有する補強裏板２４を設けたので、ガラスパネル２の荷重がかかって吊元框３の内周側壁２２が変形しようとすると、補強裏板２４の外周側壁２６が吊元框３の外周側壁２９に当接することで補強裏板２４の回動が規制され、これにより吊元框３の中空部２０全体で変形に対して抵抗するため、吊元框３の内周側壁２２の変形とパネル支持具４のパネル支持片５の垂れ下がりを効果的に防ぐことができる。その結果、建具の戸先部の垂れ下がりを防ぐことができる。補強裏板２４は短尺（上下寸法が短い）の部材のため、吊元框３の中空部２０とのガタが小さくても中空部２０内に容易に挿入することができる。
【００１７】
図６は、補強裏板２４の他の例を示している。この補強裏板２４は、アルミ合金の押出形材で形成した角パイプ状のもので、内周側壁２５と、外周側壁２６と、内周側壁２５と外周側壁２６とを連結する室外側及び室内側の連結壁３２，３２を有している。この押出形材で形成した補強裏板２４は、寸法精度が高いので、吊元框３の中空部２０とのガタをより小さくでき、ガタが小さいことで吊元框３の内周側壁２２の変形及びパネル支持具４のパネル支持片５の垂れ下がりを抑える効果が向上する。
【００１８】
図７〜９は、第２実施形態の建具の変形例を示している。図７に示した例は、下框６のガラス保持溝１０内のガラスライナー１６を無くし、戸先框９の中間より上側のガラス保持溝１０内にガラススペーサー３３を設け、ガラスパネル２の戸先側を当該ガラススペーサー３３を介して戸先框９で支持している。上框８のガラス保持溝１０内にもガラススペーサー３４を設け、ガラスパネル２が上下に動くのを規制している。
図８に示した例では、下框６の戸先側のガラス保持溝１０内にガラスライナー１６が設けてあると共に、戸先框９の中間より上側のガラス保持溝１０内にガラススペーサー３３が設けてあり、これによりガラスパネル２の戸先側を下框６と戸先框９とで支持している。
図９に示した例では、上框８と戸先框９とのコーナー部内周側にＬ形のパネル支持具３５が設けてある。パネル支持具３５は、水平な取付片３６と垂直なパネル支持片３７を有し、取付片３６が上框８のガラス保持溝１０の底面１０ａにねじで固定され、パネル支持片３７は戸先框９のガラス保持溝１０の底面１０ａから浮かせてある。したがって、ガラスパネル２の戸先側がパネル支持具３５を介して上框８に支持されている。
このように本建具は、ガラスパネル２の吊元側が吊元框３下部に設けたパネル支持具４で支持される点は共通し、ガラスパネル２の戸先側は下框６で支持することもできるし、戸先框９や上框８で支持することもできる。この点は、第１実施形態の建具についても同様である。
【００１９】
本発明は以上に述べた実施形態に限定されない。框は、アルミや樹脂で一体形成したものでもよい。パネルは単板ガラスであってもよいし、ガラス以外のパネルであってもよい。パネル支持具の形状、材質、吊元框への取付け方は、適宜変更することができる。パネルの吊元側がパネル支持具で支持されていれば、必ずしもパネル支持具が下框から離間していなくてもよい。吊元框の中空部内の補強材、補強裏板の形状、材質は、適宜変更することができる。長尺の補強材を省略し、補強裏板のみを設けたものや、補強裏板を省略し、長尺の補強材のみを設けたものであってもよい。本発明は、テラスドアに限らず、玄関ドア、勝手口ドア、開き窓等、あらゆる建具に適用することができる。
【符号の説明】
【００２０】
１  扉
２  ガラスパネル（パネル）
３  吊元框
４  パネル支持具
５  パネル支持片
６  下框
【図１】
2018009441.tif 000003
【図２】
2018009441.tif 000004
【図３】
2018009441.tif 000005
【図４】
2018009441.tif 000006
【図５】
2018009441.tif 000007
【図６】
2018009441.tif 000008
【図７】
2018009441.tif 000009
【図８】
2018009441.tif 000010
【図９】
2018009441.tif 000011